(57)【要約】      （修正有）【課題】取扱い簡便な光ケーブル接続用クロージャを安価な形態で提供する。【解決手段】ケーブル導出入部１と、心線相互を接続した接続部Ｃの支持用接続部収納部２と心線余長収納部３とを形成した心線収納トレイ４を備えたクロージャ本体５に、カバー体６を着脱自在に配備した光ケーブル接続用クロージャＤにおいて、クロージャ本体５に引落し用心線を収納する複数の心線収納トレイ４の嵌装用嵌合部７のあるトレイホルダー８を形成した最下層通過心線収納トレイ４１を設け、トレイホルダー８の嵌合部に心線収納トレイ４を嵌脱自在に備え、最下層通過心線収納トレイ４１の上方に複数の心線収納トレイ４を上層トレイとしてそれぞれ回動自在に多段に積層配備すると共に、最下層通過心線収納トレイ４１の中央部に複数の心線収納シート９を回動自在に装着した。【選択図】図１
2005091689.tif 000002
【特許請求の範囲】
【請求項１】
光ケーブルを把持する把持部材を有するケーブル導出入部を備え、該ケーブル導出入部から導出入する心線相互を接続した接続部を支持する接続部収納部と、接続部から延びる心線余長を巻回して収納する心線余長収納部とを形成した心線収納トレイを少なくとも一つ以上備えたクロージャ本体にカバー体を着脱自在に配備した光ケーブル接続用クロージャにおいて、前記クロージャ本体に複数枚の心線収納トレイを嵌装できる嵌合部のあるトレイホルダーを形成した最下層通過心線収納トレイを設け、該トレイホルダーの嵌合部に少なくとも一つ以上の心線収納トレイを嵌脱自在に備えて、最下層通過心線収納トレイの上方に複数枚の心線収納トレイを上層トレイとしてそれぞれ回動自在に多段に積層配備しうるように構成すると共に、最下層通過心線収納トレイの中央部に複数枚の心線収納シートを回動自在に装着したことを特徴とした光ケーブル接続用クロージャ。
【請求項２】
請求項１記載の光ケーブル接続用クロージヤにおいて、前記心線収納シートの最上段心線収納シートと心線収納トレイとの間にソフトシート材からなる心線保護シートを回動自在に介在配備して、心線収納シートと心線収納トレイとを離隔したことを特徴とする光ケーブル接続用クロージャ。
【請求項３】
請求項１または請求項２記載の光ケーブル接続用クロージヤにおいて、光ケーブルを把持する把持部材を挿入できる収容部を格子状に突設した複数の板状壁部で形成したケーブル導出入部を両端に備えた把持具ベースを前記クロージャ本体に備えた最下層通過心線収納トレイの心線導入部に対設し、該把持具ベースに形成した一対の爪受け部に前記最下層通過心線収納トレイに形成した固定爪を係合してクロージャ本体に装着したことを特徴とする光ケーブル接続用クロージャ。
【請求項４】
請求項１または請求項２記載の光ケーブル接続用クロージヤにおいて、前記トレイホルダーが、離隔して突設した一対のリブ状支持壁に階段状壁面を設け、該階段状壁面に前記心線収納トレイに設けた支軸を回動自在に嵌着できる支軸受け部をそれぞれに形成すると共に、前記心線収納トレイに設けたストッパ軸を嵌着できるストッパ軸受け部を前記リブ状支持壁の間に備えた構成からなることを特徴とする光ケーブル接続用クロージャ。
【請求項５】
請求項１または請求項２記載の光ケーブル接続用クロージヤにおいて、前記心線収納シートが、プラッスチック材或いはゴム材からなる薄膜の略楕円状シートからなり、離隔して形成した窓孔に突設した心線係止片が隣接される心線収納シートに形成される心線係止片の位置とずれた位置にあるように備えられ、シート中央部に開閉操作用穴と、シート両端部に心線収納範囲を規制する認知孔とを設けたことを特徴とする光ケーブル接続用クロージャ。
【請求項６】
請求項３、請求項４または請求項５記載の光ケーブル接続用クロージヤにおいて、前記心線収納トレイが、トレイ内に導出入する光ケーブル単心線を保持する心線押え片と、該心線相互を接続した接続部を支持する接続部収納部と、接続部から延びる心線余長を巻回して収納する心線余長収納部とを形成したプラッスチックケースで構成したものからなり、その収納面が上を向く状態でクロージャ本体に任意にセットできるようにしたことを特徴とする光ケーブル接続用クロージャ。
【請求項７】
請求項３、請求項４または請求項５記載の光ケーブル接続用クロージヤにおいて、前記クロージャ本体の左右の両外側壁に対称位置に軸受け部を設け、該軸受け部に嵌装するヒンジ軸を前記カバー体に対設して、カバー体をひっくりかえしてクロージャ本体の両側のいずれかに選択して取り付けられる構成とすると共に、カバー体をクロージャ本体にロックしうる留め具をカバー体に摺動自在に配備したことを特徴とする光ケーブル接続用クロージャ。
【請求項８】
請求項３、請求項４または請求項５記載の光ケーブル接続用クロージヤにおいて、前記クロージャ本体に固定ネジによって固着される取付板を介して支持線取付具を備え、該支持線取付具に、把持用溝のある一対の把持部材が対面されてボルトにより締めつけられ支持線を把持して固定配備できるように構成したことを特徴とする光ケーブル接続用クロージャ。
【発明の詳細な説明】
【技術分野】
【０００１】
本発明は、通信ケーブル、特に、光ファイバ心線を有する光ファイバケーブル（以下光ケーブル）の架空ケーブルの配線区間のアクセス区間において、ケーブル接続点における外被接続並びに架空ケーブルとドロップ光ケーブルの接続のために用いられ、加入伝送路設備、特に加入区間の光ケーブルの使用上の細分化を可能にして、光ケーブル設備の  相互接続において、光ケーブルの布設に寄与させ、その心線使用効率と、経済的使用を高めると共に、加入者発生時の配線作業の簡便化と作業性をも向上させ、しかも分岐用心線と通過用心線を個別に収納、配置して工事の安全性を高めるための光ケーブル接続用クロージャに関するものである。
【背景技術】
【０００２】
従来より、光ケーブルの分岐、引込、接続などを行う場合、クロージャ内においてケーブル心線相互を接続すると共に、ケーブル心線の余長分を収納するための心線接続余長収納ケースが用いられている。このケースは、心線トレイからなり、トレイ本体に心線を導出入する部分となる心線導出入部と、その心線導出入部から導出入させる幹線用光ケーブルから引き出された光ファイバ心線同士或いは分岐用光ケーブルから引き出された心線とを接続するコネクタ等の接続部が収納されるコネクタ収納部と、さらに接続された心線の余長部分を巻回して保護収納する心線余長収納部とを備えたものが知られている。
【０００３】
特許文献１の光ケーブル接続クロージャは、心線導出入部から入る心線相互を接続したコネクタのコネクタ収納部と、心線の余長部分を巻回して保護収納する心線余長収納部とのある収納トレイを複数枚多段に積み重ねて配備したもので、各収納トレイをヒンジピンとピン軸受け部とで回動自在に連結した構成が開示されている。（特許文献１参照）
【特許文献１】特開２０００ー１２１８４０号公報
【発明の開示】
【発明が解決しようとする課題】
【０００４】
一般に、光ケーブルを用いた通信網では、光アクセス網の最適な配線形態とすることやインターネットアクセスサービスなどを提供するため、既存の光ケーブル設備を利用して、光アクセスサービスを迅速且つ安価に提供することが要請されている。
ところが、光ケーブルクロージヤ１個配ルートに於ける光加入者数は、実設備心線数に対し数％以下であり、また光加入者数は個配ルート中に散発的に発生する散発需要のため極めて効率が悪く、しかも光ケーブル設備の相互接続には、収容ケーブルの保守や心線監視などのセキュリティの問題で、光アクセス系設備の効率的な使用や経済的な使用が十分満足するものがなく、取扱いも不便になって、光アクセス系設備の効率的な使用や経済的な使用ができないなどの問題がある。
さらに、光ケーブルの高密度、多心化が進むにつれて心線余長収納部では、その容量が不足しがちになり、クロージャ内での多数枚配備される心線トレイの多様化で分岐心線の取扱いがやっかいとなり、任意の心線ハンドリングも手数がかかり、また心線余長の納まりが悪くなって、心線にストレスが掛ることが多かったり、心線の光損失が生じ伝送特性に悪影響を与えたり接続分岐に伴う作業や個別配線整理がやりにくいし、さらには増設も簡単には対応できず構造が大型化、複雑化し、コスト高となり、軽量でコンパクト化できないといった問題も生じている。
【０００５】
本発明は、これら従来の事情に鑑みてなされたものであり、より効率的に光ケーブルを配線、布設、運用するために単心単位での引き落としが可能で心線使用効率を高められ、加入伝送路設備、特に、加入区間光ケーブルの使用上の細分化を経済的に可能にして光加入者の散発需要へ迅速に対応でき、既存の光ケーブルの設備を利用した光アクセスサービスを迅速且つ安価に提供することができるし、その配線作業実施による設備事故などもないように、単心の分離、保護、収納作業に優れたクロージャとすること、さらに配線、接続作業の簡易化が図れ、単心線ごとの接続機能と引き落とし機能とを統合して整理でき、その収納にも引き落し用心線と通過用心線を個別収納、配置して、光ケーブルの伝送特性に悪影響を与えることもなく、また光ケーブルのドロップ接続や切り替え或いは分岐接続作業並びに再収納作業が容易に実施できるし、複数接続単位で複層化とした高密度収納構造によって、心線ごとの収納や、引き通し配線の収納整理のほか心線ごとの増設も容易で、きわめてコンパクトに配線処理部を安全に収納することができる取扱い簡便な光ケーブル接続用クロージャを安価な形態で提供することを目的とするものである。
【課題を解決するための手段】
【０００６】
上述の課題を解決するために、本発明は、光ケーブルを把持する把持部材を有するケーブル導出入部を備え、該ケーブル導出入部から導出入する心線相互を接続した接続部を支持する接続部収納部と、接続部から延びる心線余長を巻回して収納する心線余長収納部とを形成した心線収納トレイを少なくとも一つ以上備えたクロージャ本体にカバー体を着脱自在に配備した光ケーブル接続用クロージャにおいて、前記クロージャ本体に複数枚の心線収納トレイを嵌装できる嵌合部のあるトレイホルダーを形成した最下層通過心線収納トレイを設け、該トレイホルダーの嵌合部に少なくとも一つ以上の心線収納トレイを嵌脱自在に備え、前記最下層通過心線収納トレイの上方に複数枚の心線収納トレイを上層トレイとしてそれぞれ回動自在に多段に積層配備しうるように構成すると共に、最下層通過心線収納トレイの中央部に複数枚の心線収納シートを回動自在に装着したものである。
【０００７】
本発明の光ケーブル接続用クロージャは、少単心架空ケーブルを各方路に適当なスパン毎に先行配置して置くが、クロージャ内では引き落し用心線と通過用心線を無切断にて個別の心線収納シートに収納してあるので、光加入者発生時には、引き落とし用心線を切断してドロップケーブルと接続すればよく、加入者ごとの引き落とし用心線の接続余長部分を保護収納する複数のトレイが、互いに分離されて収納できるので、任意の心線収納トレイを開いて或いは取り出したりして引き通し心線から分岐した心線ドロップの接続作業や接続状況の点検、確認、調整などをきわめて容易で安全に行うことができる。
また、各心線収納トレイは、心線接続部のコネクタを保持固定し、心線余長も曲率半径を確保した上で取り回し収納できるので、心線余長の吸収に自由度を持たせて納められ、伝送特性に悪影響を及ぼすことがない。
しかも、心線接続作業後に心線収納トレイを元の位置に戻しても光ファイバ心線に弛みが生じないし、心線に過度に屈曲することがなく曲率半径の小さい円弧状部分をも生じないで収納でき安全な保護ができる。
さらに、通過用心線は個別に１心ごと心線収納シートに収納して整理できるし各心線収納トレイはトレイホルダーに挿し込むことで隣接される心線収納トレイと整理でき、またトレイホルダーから外して開閉することにより、連結した心線収納トレイを別個に露出することができ、接続作業や心線収納トレイの更新並びに増設が容易にできるし、簡易な心線識別とハードトレイ化による安全性向上と任意心線の取り出し、接続、再収納作業に対するハンドリング特性の向上とが図れる。
【０００８】
本発明での光ケーブル接続用クロージヤにおいは、前記心線収納シートの最上段心線収納シートと心線収納トレイとの間にソフトシート材からなる心線保護シートを回動自在に介在配備して、心線収納シートと心線収納トレイとを離隔するのが整理をし易くできる。
また、光ケーブルを把持する把持部材を挿入できる収容部を格子状に突設した複数の板状壁部で形成したケーブル導出入部を両端に備えた把持具ベースを前記クロージャ本体に備えた最下層通過心線収納トレイの心線導入部に対設し、該把持具ベースに形成した一対の爪受け部に前記最下層通過心線収納トレイに形成した固定爪を係合してクロージャ本体に装着すれば、各トレイ並びに心線収納シートの位置決め組み込み配備を簡略化できる。
【０００９】
さらに、前記トレイホルダーとしては、最下層通過心線収納トレイに一体に成形されるが、離隔して突設した一対のリブ状支持壁からなり、このリブ状支持壁に階段状壁面を設け、該階段状壁面に前記心線収納トレイに設けた支軸を回動自在に嵌着できる支軸受け部をそれぞれに形成すると共に、前記心線収納トレイに設けたストッパ軸を嵌着できるストッパ軸受け部を前記リブ状支持壁の間に備えた構成とすると、前記心線収納トレイを少しづつずらせて収納でき、識別容易な形態として心線展開時にも取扱いし易く、かつ開放状態を所定角度に保って維持できる。
なお、前記心線収納シートは、プラッスチック材或いはゴム材からなる薄膜の略楕円状シートからなり、離隔して形成した窓孔に突設した心線係止片が隣接される心線収納シートに形成される心線係止片の位置とずれた位置にあるように備えられ、シート中央部に指を掛け易くするための開閉操作用穴と、シート両端部に心線収納範囲を規制する認知孔とを設けて、収納される引き通し心線の整理や挿入作業を容易になるように考慮するのがよい。
【００１０】
本発明の光ケーブル接続用クロージヤでは、前記心線収納トレイが、トレイ内に導出入する光ケーブル単心線を保持する心線係止片と、該心線相互を接続した接続部を支持する接続部収納部と、接続部から延びる心線余長を巻回して収納する心線余長収納部とを形成したプラッスチックケースで構成したものからなり、その収納面が上を向く状態でクロージャ本体に任意にセットできるようにして、配線作業の簡略化を図るようにするのが好ましい。
【００１１】
さらに、前記クロージャ本体には、筐体の左右の両外側壁に対称位置に軸受け部を設け、該軸受け部に嵌装するヒンジ軸を前記カバー体に対設して、カバー体をひっくりかえしてクロージャ本体の両側のいずれかに選択して取り付けられる連結構成とすると共に、カバー体をクロージャ本体にロックしうる留め具をカバー体に摺動自在に配備して、配線作業スペースの確保が簡単で作業性を向上し、取扱いの簡便化とクロージャの小型化を図れる。
また、前記クロージャ本体に固定ネジによって固着される取付板を介して支持線取付具を備え、該支持線取付具に、把持用溝のある一対の把持部材が対面されてボルトにより締めつけられ支持線を把持して固定配備できるように構成して、吊り線である支持線の線径の大小に係わらず、吊り線にクロージャ本体を確実に固定配置できる。
【発明の効果】
【００１２】
本発明は、クロージャ本体にカバー体を着脱自在に配備した光ケーブル接続用クロージャにおいて、前記クロージャ本体に複数枚の心線収納トレイを嵌装できる嵌合部のあるトレイホルダーを形成した最下層通過心線収納トレイを設け、該トレイホルダーの嵌合部に少なくとも一つ以上の心線収納トレイを嵌脱自在に備え、前記最下層通過心線収納トレイの上方に複数枚の心線収納トレイを上層トレイとしてそれぞれ回動自在に多段に積層配備しうるように構成すると共に、最下層通過心線収納トレイの中央部に複数枚の心線収納シートを回動自在に装着したことによりより効率的に光ケーブルを配線、布設、運用するために単心単位での引き落としが可能で心線使用効率を高められ、加入伝送路設備、特に、加入区間光ケーブルの使用上の細分化を経済的に可能にして光加入者の散発需要へ迅速に対応でき、既存の光ケーブルの設備を利用した光アクセスサービスを迅速且つ安価に提供することができる。
【００１３】
また、本発明では、光ケーブルのドロップ配線や増設、保守点検の配線作業実施による設備事故もないように、単心の分離、保護、収納作業に優れたクロージャとすること、さらに配線、接続作業の簡易化が図れ、単心線ごとの接続機能と引き落とし機能とを統合して整理でき、その収納にも引き落としの分岐用心線と通過用心線を個別収納、配置して、光ケーブルの伝送特性に悪影響を与えることもなく、また光ケーブルのドロップ接続や切り替え或いは分岐接続作業並びに再収納作業が容易に実施できるし、複数接続単位で複層化とした高密度収納構造によって、心線ごとの収納や、引き通し配線の収納整理のほか心線ごとの増設も容易で、きわめてコンパクトに配線処理部を安全に収納することができる。
しかも、光ケーブルの引き落しの際に複数の心線収納トレイは心線導出入部より光ケーブルの伝送特性に悪影響を与えることなく、光ケーブルの接続や切り替え或いは分岐接続作業や再収納作業が容易に実施でき、複数接続単位で複層化とした高密度収納構造によって、心線ごとの収納や整理のほか、心線ごとの増減が簡単にでき増設も楽で、きわめてコンパクトに接続部を安全に収納することができるので、心線接続作業後に任意の心線収納トレイを開いて収納されている光ファイバ心線を迅速に引き落すことができ、心線識別も容易で接続部の再調整や修理など簡単に行うことができ、作業性を大幅に向上すると共に、各心線収納トレイを必要なだけ複数に積み重ねることができると共に、多段に積み重ねられた心線収納トレイ全体を的確に保持できて安全性も高められる。
【００１４】
また本発明によれば、引き落し心線余長の収納が収まり良くできるし、心線の巻回収納にも余裕があり、しかも心線の保持も緩衝的に行なわれているので、心線に弛みが生じないし、各心線収納トレイを展開しても収納した光ファイバの余長部の長さの変化が少ないので、光ファイバの余長部の長さの変化が少なく、光ファイバ心線に無理な屈曲や小円弧が発生することなく光損失をなくして伝送特性を良好に保ことができる。
【００１５】
さらに、本発明によれば、心線の分岐、引込の際に心線収納トレイへの心線導出入の自由度があって作業上、心線接続部へのアクセスが簡便化でき、管理や組立分解作業も容易に行なえ、かつ高密度・高信頼性が得られる。殊に、必要なだけ多段に積み重ねた心線収納トレイ同士が外れたりずれたりすることなく、簡単確実に結合されて識別容易で、光ケーブル接続用クロージャとして安全性を大幅に高められ、心線余長収納での高信頼性も得られるし、心線収納トレイ相互間をネジ止め等することなく脱着でき取扱いも著しく容易化でき、かつコンパクト化が図れる。 
【発明を実施するための最良の形態】
【００１６】
本発明の第１実施例を図面を用いて説明すると、図１乃至図４に示すように、光ケーブルＡを把持する把持部材Ｂを有するケーブル導出入部１を備え、該ケーブル導出入部１から導出入する心線相互を接続した接続部Ｃを支持する接続部収納部２と、接続部Ｃから延びる心線余長を巻回して収納する心線余長収納部３とを形成した心線収納トレイ４を少なくとも一つ以上備えたクロージャ本体５に、開閉扉となるカバー体６を着脱自在に配備した光ケーブル接続用クロージャＤにおいて、前記クロージャ本体５に引き落とし用心線を収納できる複数枚の心線収納トレイ４を嵌装できる嵌合部７のあるトレイホルダー８を形成した最下層通過心線収納トレイ４１  を設け、該トレイホルダー８の嵌合部に少なくとも一つ以上の心線収納トレイ４を嵌脱自在に備え、前記最下層通過心線収納トレイ４１  の上方に複数枚の心線収納トレイ４を上層トレイとしてそれぞれ回動自在に多段に積層配備しうるように構成すると共に、最下層通過心線収納トレイ４１  の中央部に複数枚の心線収納シート９を回動自在に装着した構成からなっている。（図１）
【００１７】
前記光ケーブル接続用クロージャＤは、少単心架空ケーブルを各方路に適当なスパン毎に先行配置して置くが、クロージャ内では引き落し用心線と通過用心線を無切断にて個別の心線収納シート９に収納、例えば少単心光ケーブル（φ０．２５ｍｍの単心線８本）の場合、引き落とし用心線は１心を１トレイにて最大６心まで収納でき、通過用心線は１心単位で個別に心線収納シート９に最大８心まで収納してあるので、光加入者発生時には、引き落とし用心線を切断してドロップケーブルと接続し、接続部及び接続余長部分を心線収納トレイ４に収納すればよく、加入者ごとの引き落とし用心線の接続余長部分を保護収納する複数の心線収納トレイ４が、互いに分離されて収納できるので、任意の心線収納トレイ４を開いて或いは取り出したりして引き通し心線から分岐した心線ドロップの接続作業や接続状況の点検、確認、調整などをきわめて容易に安全に行うことができる。また、各心線収納トレイ４は、心線の接続部Ｃを保持固定し、心線余長も曲率半径を確保した上で取り回し収納できるので、心線余長の吸収に自由度を持たせて納められ、伝送特性に悪影響を及ぼすことがない。
【００１８】
また、前記心線収納トレイ４に形成した心線導出入部４２  には、スリットのある心線挿通孔を設けた弾性保持部材（図示せず）を必要に応じ圧入嵌合して心線の支持を確実にしてあり、この弾性保持部材は心線径或いは心線数に応じた挿通孔のあるものを選んで用いられる。
さらに、接続部収納部２及び心線余長収納部３は、必要に応じガイドリブ及び側壁を選んで区画してもよいし、心線の浮きを阻止する舌状の心線押え片２５，２６或いは係止爪を一体成形して余長の心線や心線の接続部Ｃとなるコネクタを心線収納トレイ４内に確実に保持できるようにするか、また接続部収納部２或いは心線余長収納部３のみを区画した心線収納トレイ４を組合せて一つとした形態としてもよく、各心線収納トレイ４毎に心線を分離整理収納し、ケーブル挿入部からファイバ心線の曲げが極少で心線収納時のねじれをも防止でき、安全かつ高密度収納で高信頼性が得られるようにする。
【００１９】
この場合、前記最下層通過心線収納トレイ４１  のケーブル導出入部１から引き込み或いは引き出される光ケーブルＡをドロップ光ケーブルと接続できるように把持部材Ｂを介して固定できるように備え、ドロップ光ケーブルに応力が掛かっても把持部材Ｂで受けて前記心線収納トレイ３に悪影響を及ぼさないようにしている。
前記クロジャ本体５にはケーブル導出入部１に対面する開口した部分（隙間）にはグロメット５１  を備え、ケーブルを自由に配線し、配線しない部分は遮蔽部分を残して蓋をした状態に維持して用いられ、防塵、防風並びに防水に役立ててあって、布設作業がしやすく、低コストで封入作業が行えるようになっている。  
【００２０】
前記心線収納トレイ４としては、各種の形態のものを用いられるが、一例として示すと、複数重合状態でそれぞれヒンジ部となる支軸１４によって開閉自在に連結されて一組とし、テープ心線から分離した単心ごとにコネクタと心線余長とを個別に一括収納できるトレイに構成されたものを用い、該心線収納トレイ４の複数枚を前記最下層通過心線収納トレイ４１  内に設けたトレイホルダー８に挿脱自在に嵌装してある。そして、この心線収納トレイ４、４１  は、合成樹脂により一体成形された成形品から構成したものであり、心線収納トレイ４では図２に示すように、略長方形状の外形を有し、内面側が同一形状に形成されたもので、心線の心線導出入部４２  と、心線の接続用コネクタが収容保持される接続部収納部２と、該接続部収納部２に保持された接続部Ｃのコネクタから導出される心線余長を引き廻し、ループ状に巻回させて保持する心線余長収納部３とをガイドリブ２４により区画して備え、かつ心線押え片２５，２６のある略長方形のトレイを用いる。
【００２１】
前記最下層通過心線収納トレイ４１  としては、クロージャ本体５内に取付けネジ４１で固着されるが、クロジャ本体５内に固着された、配線ガイドとなる板状壁部１１のある把持具ベース１２に対設する。該最下層通過心線収納トレイ４１  には、トレイホルダー８、例えばリブ状支持板が備えてある。また前記板状壁部１１により光ケーブルルートを明確に分け、光心線に影響を与えない構造となり、かつこの配線ガイドでより一層安全な配線ルートが確保でき作業性や安全性がさらに向上できる。
【００２２】
図２及び図３に示すように、前記心線収納トレイ４は、心線導出入部４２  を備え、心線相互を接続した接続部Ｃを収容支持する接続部収納部２と、該接続部Ｃから延びる心線余長を巻回して収納する心線余長収納部３とを形成し、前記最下層通過心線収納トレイ４１  に設けたトレイホルダー８に間隔をおいて複数配備して、各心線収納トレイ４は上方に回動して引き上げ、上面を開けて心線の収納、撤去作業を行い、作業終了後は心線収納トレイ４を元に戻して収納保持できるようにしてある。
【００２３】
なお、前記心線収納トレイ４において、接続部のある或いは接続部のない引き通し用心線収納のほかに、保留心線収納にも用いられ、特に接続部のある場合はトレイの中で固定せずに自由度を持たせて用いるのもよく、いずれにしても心線の曲率半径を十分に確保して接続部や心線余長の収納を確実にできるようにしてあり、上方に心線収納トレイ４を上げた時に、脱落防止のストッパ機能を心線押え片ではたらかせてもよい。
【００２４】
さらに、最下層通過心線収納トレイ４１  では、その中央部に複数枚の心線収納シート９を回動自在に装着した構成からなっているが、前記心線収納シート９の最上段シートと心線収納トレイ４との間にソフトシート材からなる心線保護シート１０を回動自在に介在配備して、心線収納シート９と心線収納トレイ４とを離隔して心線整理をし易くしてある。
また、光ケーブルＡを把持する把持部材Ｂを挿入できる収容部は、格子状に突設した複数の板状壁部１１で形成したケーブル導出入部１を両端に備えた把持具ベース１２に備え、該ケーブル導出入部１を前記クロージャ本体５に備えた最下層通過心線収納トレイ４１  の心線導出入部１１  に対設してある。この把持具ベース１２に形成した一対の爪受け部１３に前記最下層通過心線収納トレイ４１  に形成した固定爪１３１  を係合してクロージャ本体５に装着すれば、最下層通過心線収納トレイ４１  並びに心線収納シート９の位置決めができる。
【００２５】
なお、前記心線収納シート９は、図４の如くプラッスチック材或いはゴム材からなる薄膜の略楕円状シートからなり、離隔して形成した一対の窓孔１８に夫々に突設した舌状の心線係止片１９が設けられる。そして、隣接される心線収納シート９に形成される心線係止片１９の位置は、順次ずれた位置にあるように備えられ、シート中央部に指を掛け易くするための開閉操作用穴２０と、シート両端部に心線収納範囲を規制する認知孔２１とを設けて、楕円形状に収納される引き通し心線を挟み込んで心線の整理や挿入作業を容易になるように考慮するのがよい。
この場合、複数枚重ねて夫々回動自在に配備される心線収納シート９は、それぞれその一側縁に綴り込み用の係止孔２２を左右に分けて一対形成して、前記最下層通過心線収納トレイ４１  に突設した係合止め部２３に係脱自在に取り付け保持するのが組み込み、取り外しが容易で配線作業時での取扱いを簡便化できるようにするのがよい。（図１及び図４）
【００２６】
また、最下層通過心線収納トレイ４１  としては、図５および図６に示すように一側縁にトレイホルダー８を一体に成形したもので、略楕円形状の外形を有し、その中央部と外周縁に沿ってガイドリブ４２、４３を立設して前記心線収納シート９の開閉操作用穴２０と心線収納シート９の外周縁とを嵌合挿入しうるようにして心線収納シート９を収納すると共に、両端部に心線導出入部１１  ，１１  を形成して、該心線導出入部１１  ，１１  に連なるケーブル経路４４によってケーブルを緩やかに旋回して引回し収納できるようにしてあって、ケーブル経路４４内に心線押さえ片４５と、複数枚の心線収納シート９を押さえるシート押さえ片４６とをガイドリブ４２、４３に設けた構成からなっている。
【００２７】
さらに、前記トレイホルダー８としては、図５乃至図７に示すように、最下層通過心線収納トレイ４１  に一体に成形されるが、離隔して突設した一対のリブ状支持壁からなり、この支持壁に階段状壁面８１  を設け、該階段状壁面に前記心線収納トレイ４に設けた支軸１４を回動自在に嵌着できる支軸受け部１５をそれぞれに形成した嵌合部７を有すると共に、前記最下層通過心線収納トレイ４１  に設けたストッパ軸１６を嵌着できるストッパ軸受け部１７を前記リブ状支持壁の間のトレイホルダー８に備えた構成とすると、前記心線収納トレイ４を多段に積み重ねた時に少しづつずらせて収納でき、識別容易な形態として心線展開時にも取扱いし易く、かつ開放状態を所定角度に保って維持でき、所望の心線収納トレイ４をトレイホルダー８に支持し或いは引き出せ、重ね合せ面を開くことができて、収納心線の接続配線作業が容易にできる。
例えば、図５（ｃ）の如くトレイストッパ部の作用状態では、一つの心線収納トレイ４の単心トレイ閉時（ロック状態）、単心トレイ開時（開度６０度・ロック解除状態）、単心トレイ開放時（開度９０度・ロック解除状態）ができ、前記心線収納トレイ４を所定角度で開放維持並びに閉鎖維持することができ配線作業での作業性を向上でき、光心線に影響を与えない構造となり、かつこの配線ガイドでより一層安全な配線ルートが確保でき作業性や安全性がさらに向上できる。
【００２８】
前記最下層心線収納トレイ４１  は、図７及び図８に示すように中央に取付け孔３０を有し、トレイホルダー８を把持具ベース１２の上に重ね合わせて心線導出入部１１  を把持具ベース１２の板状壁部１１に対設して組み合わせクロージャ本体５に取付けネジ４１で固定するのがよく、該把持具ベース１２には取付け孔３１と、トレイホルダー８を係止する係止部材３２とを設けて、前記クロージャ本体５とトレイホルダー８との一体化が簡単にできるようにしてある。
【００２９】
なお、前記心線収納トレイ４，及び最下層通過心線収納トレイ４１  の心線導出入部４２  ，１１  は、両側に設けたものに限らず、片側に設けたシングルタイプにしてもよいし、両側に対に設け、即ち四隅に設けたダブルタイプのものを用いることもできるし、しかも合成樹脂の射出成形により、心線収納トレイ４，４１  を略正方形、長方形の四角形または楕円形に形成されるので、前記接続部収納部２に隣接される心線余長収納部３には所定間隔に配列される心線押え片２５，２６および蓋片で伝送特性に悪影響が及ばないように心線がなめらかに湾曲したループ状に巻回保持できるように配慮してある。
例えば、前記心線収納トレイ４には曲率半径３０ｍｍ以上を確保して心線を取り回して収納ができ、各種の接続部Ｃ例えば、融着補強スリーブ、メカニカルスプライス、などの収納可能であって、心線収納トレイ４を複数並列或いは多段に積層し、各心線トレイ単位で開閉或いは脱着可能に設け、心線余長と心線接続部を一括収納できる。
この場合は、心線収納トレイ４の一つは接続部は固定しない構造として心線余長の吸収に自由度を持たせることもできるし、一つのトレイに８〜１２心線分の収納が可能で識別ホルダーを用いれば、複数心単位の心線識別が可能の形態とすることもできる。
【００３０】
なお、前記心線導出入部４２  の一方側から心線を入れて心線余長収納部３に収納する場合、心線の巻回の仕方によって、両方の心線導出入部４２  のいずれの側にも出すこともできる。
以上のように、いずれかの心線導出入部４２  から心線を心線収納トレイ４内に入れることができ、かつ心線の曲率を小さくすることなく（過負荷を加えることなく）、入口側となった心線導出入部４２  と同一の又は異なる心線導出入部４２  を出口側として出すことができる。これにより、心線の出入口側を自由に選んで、クロジャ本体５内での心線の配線の便宜を図ることができる。
【００３１】
前記クロージャ本体５では、その両外側壁の対称位置に軸受け部５０を設け、該軸受け部５０に嵌装するヒンジ軸５１を前記カバー体６に対設して、カバー体６をひっくりかえしてクロージャ本体５の両側のいずれかに選択して取り付けられる構成とすると共に、カバー体６をクロージャ本体５にロックしうる留め具５２をカバー体６に摺動自在に配備し、クロージャ本体５に突設したストッパ片５３を案内係合片５４に対設してある。この留め具５２は、上下或いは左右に摺動させてロック或いはロック解除できるようにし、カバー体６をひっくりかえして取り付けた際に上方から下方にスライドサさせてロックできるようにするのがよい。
また、このクロージャＤは、前記クロージャ本体５に固定ネジ３３によって固着される取付板３４を介して支持線取付具３５を備え、該支持線取付具３５に、把持用溝３６のある一対の把持部材３７が対面されてボルト３８により締めつけられ支持線を把持して固定配備できるように構成するのが、架空ケーブルに布設し易くなってよい。
【００３２】
以上の構成からなるクロージャＤは、少単心架空クロージャとして図９に示すような配線形態で用いられる。即ち、地下クロージャＤ１  から引き上げケーブルを電柱Ｅを経てＳＦＡＯクロージャＤ２  に接続配備して、該クロージャＤ２  から少単心架空光ケーブルＡを各方路に布設し、適当なスパン毎にクロージャＤを先行配置する。この少単心架空光クロージャＤ内では、引き落とし用心線と、通過用心線を無切断にて個別の心線収納シート９に収納できる。例えば、引き落とし用心線は１心１トレイの心線収納トレイ４にて収納（最大６心まで）通過用心線は、個別シートの心線収納シート９に１心単位に収納（最大８〜１２心まで）でき、加入者発生時には、引き落とし用心線を切断し、ドロップケーブルＡ１  と接続すればよい。
【００３３】
この場合、少単心架空クロージャＤ内での配線工法では、図１０示す如く引き通し配線のケーブルの処理に、必要心線例えば、１，６００ｍｍ分のケーブル外被を剥ぎ、外被を処理した後、ケーブルＡに把持部材Ｂを装着して、該把持部材Ｂをケーブル導出入部１の板状壁部１１間の溝にセットする。
次いで、心線収納には、心線収納シート９をすべて開き、心線を個別に心線収納シート９に巻回して収納する。この際、心線収納シート９は心線を１心収納終了毎に閉じで順次収納するが、心線収納作業終了後心線保護シート１０を閉じて配線が終了する。（図１０ａ）
そして、発生した加入分の単心の心線収納トレイ４を収納面が上を向く状態で最下層通過心線収納トレイ４１  にセットし、開き状態にしたのち、ドロップケーブルの必要心線例えば、１，３５０ｍｍ分のケーブル外被を剥ぎ、外被を処理したのち、ドロップ用の把持部材を装着し、ケーブル導出入部１の板状壁部１１間の溝にセットする。
かくして、心線保護シート１０を開き、引き落としをする心線を心線収納シート９から引出し取り出す。ドロップをする心線を取り出したら心線収納シート９類をすべて閉じ、取り出した心線をセンターでカットしたのち、心線長７００ｍｍに調尺する。さらにカットした心線をドロップ心線と接続（メカニカルスプライス接続のみ）し、予めセットしておいた心線収納トレイ４に巻回して収納して整理することができる（図１０ｂ）。また、切断された残りの心線は、心線収納トレイ４内で保留される。
この場合、心線収納トレイ４内では、ドロップ心線にて略８の字配線をするが、把持具ベース１２においてドロップケーブルＡ１  を主ケーブル上流側と対称側の把持溝にセットした時（図１０ｂ）と、上流側と同側の把持溝にセットした時とは、トレイ内での配線ルートを変えることを配慮するのがよい。
なお、局所的需要においては、前記少単心架空ケーブルではクロージャＤを電柱Ｅの数本おきに先行設置する際に、クロージャでの引き通し用心線（最大８〜１２心）を個別収納設置することにより、長手方向に偏った局所的需要が発生しても柔軟に引き落とし対応することができる。
【００３４】
いずれにしてもこれらクロージャの運用では建設時先行配置したクロージャ内では、引き落し用心線と通過用心線分として単心線が無切断状態で個別に心線収納シート９に最大８心収納されている。（８心ケーブルの場合）
また光加入者発生時でのＳＯ（サービスオーダー）工事時には、心線収納シート９に収納されている引き落し予定の心線を心線収納シート９から取り出し、心線中央で切断し、ドロップケーブルと接続するが、接続後、心線収納トレイ４に、接続部及び接続余長心線を収納するし、引き落し用心線としては、１心単位で心線収納トレイ９に最大６心まで収納可能である。
【００３５】
また前記少単心架空ケーブルのクロージャＤ内での配線によれば、引き落し心線余長の収納が収まり良くできるし、心線の巻回収納にも余裕があり、しかも心線の保持も緩衝的に行なわれているので、心線に弛みが生じないし、各心線収納トレイ４を展開しても収納した光ファイバの余長部の長さの変化が少ないので、光ファイバの余長部の長さの変化が少なく、光ファイバ心線に無理な屈曲や小円弧が発生することなく光損失をなくして伝送特性を良好に保ことができる。
【００３６】
さらに、心線の分岐、引込の際に心線トレイへの心線導出入の自由度があって作業上、心線接続部へのアクセスが簡便化でき、管理や組立分解作業も容易に行なえ、かつ高密度・高信頼性が得られる。殊に、必要なだけ多段に積み重ねた心線収納トレイ同士が外れたり、ずれたりすることなく、簡単確実に結合されて識別容易な心線接続部を持ったクロージャとして安全性を大幅に高められ、心線余長収納での高信頼性がえられるし、心線収納トレイ相互間を脱着でき取扱いも著しく容易化でき、かつコンパクト化が図れる。
【図面の簡単な説明】
【００３７】
【図１】図１は本発明の実施例の一使用状態を示し、（ａ）はカバー体を開けて内部を示す平面図、（ｂ）はその縱断面図、（ｃ）はその正面図である。
【図２】図１の例で用いられる心線収納トレイを示し、（ａ）はその平面図、（ｂ）はその正面図、（ｃ）はＣ−Ｃ線における縱断面図、（ｄ）はＤ−Ｄ線における縱断面図である。
【図３】図２の例で用いられる心線収納トレイで、（ａ）はその底面図、（ｂ）はその側面図である。
【図４】本発明で用いられる心線収納シートを示し、（ａ）はその平面図、（ｂ）はｂ−ｂ線における縱断面図、（ｃ）はｃ−ｃ線における縱断面図である。
【図５】本発明で用いられる上層心線収納トレイを分離した最下層通過心線収納トレイを示し、（ａ）はその平面図、（ｂ）はトレイホルダー部の拡大側面図、（ｃ）はトレイストッパ部の作用状態を拡大した縱断面図で単心トレイ閉時（ロック状態）、単心トレイ開時（開度６０度・ロック解除状態）、単心トレイ開放時（開度９０度・ロック解除状態）である。
【図６】図５の例の心線収納時の状態を示す縦断面図である。
【図７】本発明の実施例で用いられる最下層通過心線収納トレイを示し、（ａ）はその平面図、（ｂ）はＡ−Ａ線における縱断面図である。
【図８】図７の例で用いられる最下層通過心線収納トレイで、（ａ）は底面図、（ｂ）はその平面図、（ｃ）は把持具ベースの平面図である。
【図９】本発明の実施例で用いられる使用状態の系統説明図で、（ａ）は斜面、（ｂ）はその一部の拡大側面図である。
【図１０】図９の例で用いられるクロージャの配線手順状態を示し、（ａ）は引き通し配線時の平面図、（ｂ）はドロップ配線時の心線収納トレイを引き出した使用状態の平面図である。
【符号の説明】
【００３８】
Ａ    光ケーブル
Ａ１    ドロップケーブル
Ｂ    把持部材
Ｃ    接続部
Ｄ    クロージャ
Ｄ１   地下クロージャ
Ｄ２    ＳＦＡＯクロージャ
Ｅ    電柱
１    ケーブル導出入部
１１      心線導出入部
２    接続部収納部
３    心線余長収納部
４    心線収納トレイ
４１    最下層通過用心線収納トレイ
４２    心線導出入部
５    クロージャ本体
５１    グロメット
６    カバー体
７    嵌合部  
８    トレイホルダー
８１    階段状壁面
９    心線収納シート
１０    心線保護シート
１１    板状壁部    
１２    把持具ベース
１３    爪受け部
１３１    固定爪  
１４    支軸    
１５    支軸受け部
１６    ストッパ軸
１７    ストッパ軸受け部
１８    窓孔
１９    心線係止片
２０    開閉操作用穴
２１    認知孔    
２２    係止孔    
２３    係合止部
２４    ガイドリブ    
２５    心線押え片
２６    心線押え片
２７    心線トレイ
３０    取付孔
３１    取付け孔
３２    係止部材
３３    固定ネジ
３４    取付板  
３５    支持線取付具  
３６    把持用溝
３７    把持部材
３８    ボルト
４２    ガイドリブ    
４３    ガイドリブ    
４４    ケーブル経路  
４５    心線押え片  
４６    シート押え片
５０    軸受け部
５１    ヒンジ軸
５２    留め具
５３    ストッパ片
５４    案内係合片
【図１】
2005091689.tif 000003
【図２】
2005091689.tif 000004
【図３】
2005091689.tif 000005
【図４】
2005091689.tif 000006
【図５】
2005091689.tif 000007
【図６】
2005091689.tif 000008
【図７】
2005091689.tif 000009
【図８】
2005091689.tif 000010
【図９】
2005091689.tif 000011
【図１０】
2005091689.tif 000012